(57)【要約】  身体装飾具の形態に類似する骨導スピーカセット及びそれに適切なシステムを提供する。  二個の骨導スピーカ装置と、該二個の骨導スピーカ装置を左右のステレオスピーカとして使うモードと、一つをスピーカ、他方をマイクとして使うモードとを切り替えるスピーカ・マイク切り換え手段とを有する骨導スピーカセットである。前記二個の骨導スピーカ装置相互の間隔が所定の間隔以内にあることを検出する相互間隔検出手段と、該相互間隔検出手段の検出結果に基づいて、遭難信号を発する遭難信号発信手段とを有する。【特許請求の範囲】
【請求項１】
二個の骨導スピーカ装置と、
該二個の骨導スピーカ装置を左右のステレオスピーカとして使うモードと、一つをスピーカ、他方をマイクとして使うモードとを切り替えるスピーカ・マイク切り換え手段とを有する骨導スピーカセット。
【請求項２】
二個の骨導スピーカ装置と有線又は無線にて接続された電子機器であって、
前記骨導スピーカ装置の装着者が該電子機器を介して音楽などのコンテンツを利用するコンテンツ鑑賞モードの際にはそれら二個の骨導スピーカ装置を双方ともスピーカとして用い、音声入力モードの際には、前記二個の骨導スピーカ装置のうち一方がマイクとして機能するスピーカ・マイク切り換え手段を有する電子機器。
【請求項３】
二個の骨導スピーカ装置と有線又は無線にて接続された電子翻訳システムであって、
前記骨導スピーカ装置の装着者が該電子翻訳システムを介して音声などのコンテンツを利用するコンテンツ再生モードの際にはそれら二個の骨導スピーカ装置を双方ともスピーカとして用い、操作者の音声を入力する必要のある音声入力モードの際には、前記二個の骨導スピーカ装置のうち一方がマイクとして機能するスピーカ・マイク切り換え手段を有する電子翻訳システム。
【請求項４】
二個の骨導スピーカ装置と有線又は無線にて接続された聴覚支援システムであって、
前記骨導スピーカ装置の装着者が該聴覚支援システムを介して音楽などのコンテンツを利用するコンテンツ鑑賞モードの際にはそれら二個の骨導スピーカ装置を双方ともスピーカとして用い、操作者の音声を入力する必要のある音声入力モードの際には、前記二個の骨導スピーカ装置のうち一方がマイクとして機能するスピーカ・マイク切り換え手段を有する聴覚支援システム。
【請求項５】
二個の骨導スピーカ装置と有線又は無線にて接続されたナビゲーション装置であって、
前記二個の骨導スピーカ装置相互の位置関係を割り出すスピーカ位置検出手段と、
該スピーカ位置検出手段の割り出した結果に基づいて、地図の表示向きに変更を加える地図回転手段とを
有するナビゲーション装置。
【請求項６】
二個の骨導スピーカ装置と無線にて接続された携帯電話機であって、
前記二個の骨導スピーカ装置相互の間隔が所定の間隔以内にあることを検出する相互間隔検出手段と、
該相互間隔検出手段の検出結果に基づいて、遭難信号を発する遭難信号発信手段とを有する携帯電話機。
【発明の詳細な説明】
【技術分野】
【０００１】
本発明は、音信号を頭蓋骨に伝えて聴覚神経に伝達させる骨導スピーカセット、それを用いた電子機器、電子翻訳システム、聴覚支援システム、ナビゲーション装置、携帯電話機に関する。
【背景技術】
【０００２】
本願の発明者らは、身体装飾具に類似する形態を有する骨導スピーカ装置及びそれに適切な通信システムを提案した（特許文献１）。それは、装着者の耳朶に取り付ける耳朶取り付け部と、該耳朶取り付け部から湾曲して伸びる圧着バネ部と、該圧着バネ部に沿っておよそ逆三角形状に広がる振動部とを有し、人体装着時には、前記耳朶取り付け部により装着者の耳朶に取り付けられ、振動部が装着者の乳様突起部に圧着されて音信号伝達のための振動を乳様突起部に伝達する。耳朶取り付け部には、宝石などの装飾品を取り付けるための装飾品取り付け構造を有する。圧着バネ部は、形状記憶合金で形成される。耳朶取り付け部は、装着者の耳朶を前後から挟み込むクリップ構造を有する。通信システムを用いて携帯電話のイヤホンとして用いるものである。【０００３】
２００４年になって日本機械学会で圧電振動子を用いた骨伝導スピーカが提案された（非特許文献１）。当該論文によれば、圧電振動子を用いた骨伝導スピーカの人体への当て場所として耳介軟骨が適切である。
【特許文献１】特開２００４−６４４５７号公報
【非特許文献１】日本機械学会Ｎｏ．０４−５Ｄｙｎａｍｉｃｓ  ａｎｄ  Ｄｅｓｉｇｎ  Ｃｏｎｆｅｒｅｎｃｅ  ２００４ＣＤ−ＲＯＭ論文集２００４．９．２７〜３０，東京  ３０７  「圧電振動子を用いた骨伝導スピーカの開発」
【発明の開示】
【発明が解決しようとする課題】
【０００４】
本発明は、前述の特開２００４−６４４５７で提示された課題をさらに発展させ、難聴者であれ健常者であれ日常生活において身体装飾具（イヤリング及びピアスなど）としても装着可能にするだけでなく、さらにはオーディオシステムや翻訳システム等聴覚支援システムとして幅広く活用可能にした、さらに改良された骨導スピーカ装置及びそれを用いたシステムを提供することを目的とする。
【課題を解決するための手段】
【０００５】
かかる課題を解決すべく、本発明に係るスピーカセットは、二個の骨導スピーカ装置と、該二個の骨導スピーカ装置を左右のステレオスピーカとして使うモードと、一つをスピーカ、他方をマイクとして使うモードとを切り替えるスピーカ・マイク切り換え手段とを有する骨導スピーカセットである。【０００６】
請求項２に記載した発明は、二個の骨導スピーカ装置と有線又は無線にて接続された電子機器であって、前記骨導スピーカ装置の装着者が該電子機器を介して音楽などのコンテンツを利用するコンテンツ鑑賞モードの際にはそれら二個の骨導スピーカ装置を双方ともスピーカとして用い、音声入力モードの際には、前記二個の骨導スピーカ装置のうち一方がマイクとして機能するスピーカ・マイク切り換え手段を有するものである。【０００７】
請求項３に記載した発明は、二個の骨導スピーカ装置と有線又は無線にて接続された電子翻訳システムであって、前記骨導スピーカ装置の装着者が該電子翻訳システムを介して音声などのコンテンツを利用するコンテンツ再生モードの際にはそれら二個の骨導スピーカ装置を双方ともスピーカとして用い、操作者の音声を入力する必要のある音声入力モードの際には、前記二個の骨導スピーカ装置のうち一方がマイクとして機能するスピーカ・マイク切り換え手段を有する電子翻訳システムである。【０００８】
請求項４に記載した発明は、二個の骨導スピーカ装置と有線又は無線にて接続された聴覚支援システムであって、前記骨導スピーカ装置の装着者が該聴覚支援システムを介して音楽などのコンテンツを利用するコンテンツ鑑賞モードの際にはそれら二個の骨導スピーカ装置を双方ともスピーカとして用い、操作者の音声を入力する必要のある音声入力モードの際には、前記二個の骨導スピーカ装置のうち一方がマイクとして機能するスピーカ・マイク切り換え手段を有する聴覚支援システムである。【０００９】
請求項５に記載した発明は、二個の骨導スピーカ装置と有線又は無線にて接続されたナビゲーション装置であって、前記二個の骨導スピーカ装置相互の位置関係を割り出すスピーカ位置検出手段と、該スピーカ位置検出手段の割り出した結果に基づいて、地図の表示向きに変更を加える地図回転手段とを有するナビゲーション装置である。【００１０】
請求項６に記載した発明は、二個の骨導スピーカ装置と無線にて接続された携帯電話機であって、前記二個の骨導スピーカ装置相互の間隔が所定の間隔以内にあることを検出する相互間隔検出手段と、該相互間隔検出手段の検出結果に基づいて、遭難信号を発する遭難信号発信手段とを有する携帯電話機である。
【発明の効果】
【００１１】
本発明は、このように構成されているから、身体装飾具に近い骨導スピーカ装置を提供できた。また、通信システムを用いることにより、携帯電話装置のイヤホン及びマイクとしてハンズフリーを可能にするツールを提供することができた。骨導スピーカであるがゆえに、気道をふさがないというメリットがある。【００１２】
また本発明は以上のように構成されているから、音楽などを鑑賞する際には、二つのスピーカを用いて聴き、使用者の発する音声を用いる必要があるときには、二つのスピーカのうちの一方をマイクとして転用することができる。また、二つの耳に装着するスピーカとの通信をすることにより、使用者の顔がどちらを向いているかを識別してその情報に基づいてナビゲーションをすることが可能となる。さらに、二つのスピーカが一定の距離内にあって通信することが正常であることを利用して、互いの距離が所定の距離以上に離れたときに遭難信号を発することもできる。
【図面の簡単な説明】
【００１３】
【図１】左右の骨導スピーカ装置とマイク装置とアダプタの通信システムと携帯電話装置とを組み合わせた例を示す斜視図である。
【図２】骨導スピーカ装置の一実施例を示す概念図である。
【図３】マイク装置の外観の一例を示す斜視図である。
【図４】携帯電話装置、アダプタ、マイク装置、骨導スピーカ装置の内部ブロック図である。
【図５】左右の骨導スピーカ装置を後頭部の連結具で連結した実施例を示す斜視図である。
【図６】後頭部の連結具で連結した左右の骨導スピーカ装置を装着した際の概念図である。
【図７】アダプタと骨導スピーカ装置、アダプタとマイク装置との通信シーケンスを示すシーケンス図である。
【図８】本発明に係る骨導スピーカ装置を人体に装着した際の状態をその装着者の背面から見た斜視図である。
【図９】振動部３３の内部構造を示す断面図である。
【図１０】携帯電話機のイヤホンマイク端子に接続するアダプタの構成を示す概念図である。
【図１１】クリップタイプの耳飾りを兼用する骨導スピーカ・マイクをピエゾ型骨伝導スピーカを用いて構成する場合の概観を示す斜視図である。
【図１２】クリップタイプの耳飾りを兼用する骨導スピーカ・マイクを横から見た図である。
【図１３】クリップタイプの耳飾りを兼用する骨導スピーカ・マイクであって、装飾部をぶら下げた例を横から見た図である。
【図１４】ピアスタイプの耳飾りにて骨導スピーカ・マイクを構成した例であって、電池と基板とスピーカ本体とを耳介の裏側に設けた例を横から見た図である。
【図１５】ピアスタイプの耳飾りにて骨導スピーカ・マイクを構成した例であって、電池を表側に設けて、基板とスピーカ本体とを耳介の裏側に設けた例を横から見た図である。
【図１６】ピアスタイプの耳飾りにて骨導スピーカ・マイクを構成した例であって、電池をぶら下げて、基板とスピーカ本体とを耳介の裏側に設けた例を横から見た図である。
【図１７】スピーカ・マイク切り替え手段のハードウェア構成を示すブロック図である。
【図１８】スピーカ・マイク切り替え手段のモード切替を説明する説明図である。
【図１９】スピーカ・マイク切り替え手段を構成する制御回路１００８の動作を説明するフローチャートである。
【符号の説明】
【００１４】
２１  耳介
２２  耳朶
２３  乳様突起部
３１  耳朶取り付け部
３２  圧着バネ部
３３  振動部
３４  装飾品取り付け構造
４２  ＣＤプレイヤ
５０，１５０，２５０，３５０，４５０  装飾部
５１，１５１，２５１，３５１，４５１  メイン基板
５２，１５２，２５２，３５２，４５２  耳たぶ装着部
５３，１５３，２５３，３５３，４５３  ピエゾ型骨伝導スピーカ本体
２００，３００，４００  耳たぶ又は耳介軟骨部
５０１  アンテナ
５０２  表示部
５０３  ダイヤルボタン
５６０  吊り下げ部材（チェーン、紐等）
５７０  骨導スピーカ装置（右）
５８０  骨導スピーカ装置（左）
５９０  取付部
６４４  携帯電話機
６４５  ＲＦ回路
６４６，６５７，６６２，６６６，１００６  受信回路
６４７  変調回路
６４８  ベースバンド部
６４９，６５８，６６３，６６７，１００７  送信回路
６５０  復調回路
６５１，６５９，６６４，６６８  通信制御回路
６５２  表示制御部
６５３  メモリ
６５４  ＬＣＤ
６５５  入出力端子
６５６  アダプタ
６６０  データベース
６６１  マイク装置
６６５，６７５  骨導スピーカ装置
７００  連結具
７０２  フック
８０１，８４１  Ｉｄｌｅ状態
８０２，８４２  Ｒｅａｄｙ状態
８１０，８３０  接続要求送信
８１１，８３１  接続確認信号受信
８１２  トレーニングデータ送信要求受信
８１３，８３３  トレーニングデータ送信
８１４，８３２  トレーニングデータ受信
８５０  音声・データ通信
９００  振動板
９１０  伝導球
１００８  制御回路
１００９  専用スピーカ
１０１０  スピーカ兼マイク
１０２０  モード切替
１０２１  受信状態
１０２２  送信状態
１０２３  スピーカ動作
１０２４  マイク動作
１０３０  動作開始
１０３１  初期設定（ｃｏｎｔｒｏｌ：Ｈ  スピーカ動作）
１０３３  送信状態か？
１０３５  送信設定（ｃｏｎｔｒｏｌ：Ｌ  マイク動作）
１０３７  受信設定（ｃｏｎｔｒｏｌ：Ｈ  スピーカ動作）
１０３９  動作終了
【発明を実施するための最良の形態】
【００１５】
以下、図面を参照しつつ、本発明の骨導スピーカ装置の実施形態について説明する。図８は、本発明に係る骨導スピーカ装置を人体に装着した際の状態をその装着者の背面から見た斜視図である。図中、耳介２１、耳朶（みみたぶ）２２、乳様突起部２３は、この骨導スピーカ装置を装着する人間の人体の一部を説明するものである。耳介２１はいわゆる外耳の一部で頭の左右両側に突き出た器官である。耳朶（みみたぶ）２２は、耳介の一番下の部分で軟骨のない柔らかい部分である。イヤリングやピアスを施すのがこの耳朶である。乳様突起部２３は、耳介の裏側の硬くやや突き出た部分である。【００１６】
振動部３３の形状について、図８と図９とを参照しつつ説明する。図９は、振動部３３の内部構造を示す断面図である。振動部３３は、振動板９００を弾性のある軟シリコンで包み込んだものであり、緩やかに彎曲した底辺を上とする逆三角形をなす。前は耳介付着部から外耳道方向へ前彎し、乳様突起部２３の形状に沿って外側に凸となり、頭毛の生え際にいたる。皮膚に当たる部分の材質は、軟シリコンとし、多少のズレにても、相当面積が乳様突起部２３に圧着するものとする。振動部３３の内部は、図９に示すように、振動板９００と乳様突起部２３との間にボール状の振動介達物（硬金属）である伝導球９１０を介在させ、ずれによって浮く部分があっても、一部でも接している限り、有効な振動を伝えることができる。【００１７】
次に、圧着バネ部３２について図８を参照しつつ説明する。圧着バネ部３２は、振動部３３を縦方向に走って設けられた部材である。振動部３３は、この圧着バネ部３２により乳様突起部方向に圧力がかかって圧着される。圧着バネ部３２の上方の大部分は平板として、振動部３３との接着面積を確保する。下方に近い側は圧着バネ部３２を管状にして、内空部分に電気回路を収納できるようにすることができる。圧着バネ部３２の材質は例えば形状記憶合金あるいは特殊樹脂として、耳介２１の裏側あたりの体温にて圧着効果があらわれるように調整される。【００１８】
圧着バネ部３２の下方は耳朶方向へ３０度ほど屈曲し、耳朶２２を覆うようにして前方に最下部で反転し、耳朶前にいたる。すなわち耳朶を挟み込むようなクリップとする。最下部には装飾品を装着できるような構造（孔、リング又はフック）とする。また、耳朶前に現れる折り返し部分である耳朶取り付け部３１は、それ自体の形状が装飾的要素の強いものとして、その表面の仕上げも装飾的要素の強いものとする。【００１９】
これら耳朶取り付け部３１、圧着バネ部３２、振動部３３、装飾品取り付け部３４により構成される骨導スピーカ装置３０は、望ましくは、左右の双方に装着する。また、左右差を感じることが難しいが、音場の左右差に応じて振動にも左右差をつける。それにより体感として方向感が得られる。【００２０】
この骨導スピーカ装置の適当な場所、たとえば耳朶取り付け部３１の付近にマイクを取り付ければ、それだけで補聴器として使うことの可能なものとなる。上述の耳朶取り付け部３１は、クリップにて耳朶２２を挟みこんで固定するものとしたが、ねじ込み式として、ねじをきつく締めることにより耳朶に固定するものとしてもよい。【００２１】
音信号のソースを骨導スピーカ装置３０内に有しないものとする場合には、無線通信に必要な回路（通信制御回路、受信回路、送信回路、アンテナなど）を内在させることになる。これらは、前述の圧着バネ部３２の内部に設けることが可能である。また、アンテナを圧着バネ部それ自身で兼用することも可能である。無線通信は、電波による通信のほかに超音波による通信も可能である。この場合の通信は、短い距離における通信、たとえば衣服のポケットに入れた機器との通信ができればよい。【００２２】
図１は、左右の骨導スピーカ装置とマイク装置とアダプタの通信システムと携帯電話装置とを組み合わせた例を示す斜視図である。アダプタ６５６は携帯電話機６４４との間を入出力端子６５５にて接続される。入出力端子６５５は、携帯電話機６４４のコネクタと接続する端子をいくつか備えている。携帯電話機６４４は、周知のようにアンテナ５０１と表示部５０２、ダイヤルボタン５０３などを有している。アダプタ６５６と左右の骨導スピーカ装置６６５、６７５とは無線通信を行う。そしてアダプタ６５６とマイク装置６６１との間も無線通信を行う。それぞれの内部ブロック図は、図４に示す（図４において骨導スピーカ装置６７５の内部ブロック図は、省略してあるが、骨導スピーカ装置６６５と同様である)。そして、通信シーケンスは図７に示す。【００２３】
図４に示すように、それぞれの機器は通信制御回路６５１、６５９、６６４、６６８、送信回路６４９、６５８、６６３、６６７、受信回路６４６、６５７、６６２、６６６を有する。さらに、携帯電話機６４４はアンテナにつながるＲＦ回路６４５、受信回路の出力を変調する変調回路６４７、変調回路６４７の出力信号をイヤホンやマイクに渡すベースバンド部６４８、ベースバンド部６４８につながる通信制御回路６５１、それにつながるメモリ６５３、表示制御部６５２、ＬＣＤ６５４、通信制御回路６５１から電話局へ向けての出力をベースバンド部６４８を介して受け取り送信回路６４９へ渡す復調回路６５０を有する。また、携帯電話機６４４とコネクタ６５５により接続されたアダプタ６５６は、本来携帯電話機６４４内部のイヤホンやマイクにて入出力すべき音声をマイク装置６６１、骨導スピーカ装置６６５にて入出力させるべく必要なデータベース６６０を備えている。アダプタ６５６、マイク装置６６１、骨導スピーカ装置６６５は、それぞれアンテナを備えており、無線通信を行う。【００２４】
そして、図７に示すようなシーケンスにしたがって、接続要求、接続確認、トレーニングの手続きを経てから、音声・データ通信８５０を開始するようになっている。骨導スピーカ装置６６５（６７５）は、接続要求送信８３０をアダプタ６５６に対して送り、その応答としての接続確認信号受信８３１を受け取ることによりアイドル（Ｉｄｌｅ）状態８４１となる。マイク装置６６１は、接続要求送信８１０をアダプタ６５６に対して送り、その応答としての接続確認信号受信８１１を受け取ることによりアイドル（Ｉｄｌｅ）状態８０１となる。さらに、マイク装置６６１がアダプタ６５６からトレーニングデータ送信要求受信８１２を受け取ることに答えて、トレーニングデータ送信８１３をアダプタ６５６に送ると、アダプタ６５６はそれを骨導スピーカ装置６６５（６７５）に送る。骨導スピーカ装置６６５（６７５）はトレーニングデータ受信８３２を受けるとレディ（Ｒｅａｄｙ）状態８４２になり、それに答えてトレーニングデータ送信８３３を送り、アダプタ６５６はそれをマイク装置６６１に送る。マイク装置６６１はトレーニングデータ受信８１４を受け取るとレディ（Ｒｅａｄｙ）状態８０２になる。これらの手続きを経て、マイク装置６６１と、アダプタ６５６と、骨導スピーカ装置６６５（６７５）との間で音声・データ通信８５０が可能な状態となる。【００２５】
図３は、マイク装置６６１の外観の一例を示す斜視図である。いわゆるワイヤレスマイクと同様の構成を有するものであり、いわゆるブローチのような装飾性の高い物品としての外観を有する。装飾部５０はチェーンや紐などを通す取付部５９０を有している。
【実施例１】
【００２６】
図２は、骨導スピーカ装置６６５（６７５）の一実施例を示す概念図である。この例では、耳朶２２にクリップする装置として構成され、振動部３３は耳朶２２に近い位置に設けられる。耳朶２２の裏側に近い人体の部分に振動を伝えることができる場合はこの実施例が可能となる。クリップを覆うように装飾部５０が設けられる。【００２７】
図５及び図６は、左右の骨導スピーカ装置を後頭部で連結する連結具を設けた例を示す斜視図である。後頭部の連結具をいとわない場合は、乳頭突起部へ振動部３３がぴったりと密着するという密着感が得られる利点がある。また、連結具７００の内部に必要な回路の一部を取り込むことも可能となる。図のフック７０２により耳介にかけて固定する。【００２８】
上述の通信システムについては、携帯電話への接続を前提に説明したが、ラジオ、ＣＤプレイヤー、ＭＤプレイヤー、ＤＶＤプレイヤー、テレビ受像機、などにこのアダプタを利用する実施例、マイク装置にアダプタを連結して補聴器として使う実施例などもこの発明の範疇に入るものである。【００２９】
水中作業員同士のコミュニケーションツールとして、この骨導スピーカ装置を利用する場合には、電波による通信ではなく、超音波による通信が好ましい。
【実施例２】
【００３０】
上記実施例１では、二個の骨伝導スピーカをスピーカとして用いたほかに、さらにもう一つマイクを用いることで、マイクとスピーカとを実現した。しかし、ペンダントにマイクを設けることよりも、もっと便利な実施例がある。それは、二個のスピーカのうちの一つをマイクとして兼用することである。この実施例２は、本願の発明者が鋭意実験した結果、骨伝導スピーカを逆にマイクとして使用することが可能であるとわかったことに基づく。つまり、二個の骨伝導スピーカ装置と、該にこの骨導スピーカ装置を左右のステレオスピーカとして使うモードと、一つをスピーカ、他方をマイクとして使うモードとを切り替えるスピーカ・マイク切り替え手段とを有する骨導スピーカセットが可能である。したがって、二つのスピーカをともに、スピーカとして使うモードでは、ステレオとして用い、片方をマイクとして使うモードでは、モノラルとして用いることができる。図４で示したハードウェア構成と、図７で示したシーケンス図とに対して若干の変更を加えることで、スピーカ・マイク切り替え手段を実現することが可能である。すなわち、二個ある骨導スピーカ装置のうちの一つに電気信号により切り替わるソフト的なスイッチを設けてマイクとして使う場合の必要な回路への切り替えを実現する。そして、マイクとして使うモードとスピーカとして使うモードとで、それぞれ図７に類似するシーケンスを設けて、通信を実現することができる。【００３１】
図１７、図１８、図１９を用いてスピーカ・マイク切り替え手段を実現する具体例を説明する。図１７は、スピーカ・マイク切り替え手段のハードウェア構成を示すブロック図である。制御回路１００８は、受信回路１００６及び送信回路１００７と連携して働く制御回路であって、スピーカ兼マイク１０１０がスピーカとして働くか（端子Ｈにつながるか）、マイクとして働くか（端子Ｌにつながるか）を制御可能となっている。そして、スピーカ兼マイク１０１０がスピーカとして機能するモードでは、専用スピーカ１００９に左音声信号を伝え、スピーカ兼マイク１０１０には右音声を伝える。スピーカ兼マイク１０１０がマイクとして機能するモードでは、専用スピーカ１００９に、左音声信号のみを伝える（あるいは、左右の音声信号を合成したものを伝える） 。図１８は、モード切替１０２０の説明をする説明図である。モード切替１０２０は、受信状態１０２１と送信状態１０２２とを切り替えることであり、受信状態１０２１では、切り替えスイッチが図１７の端子Ｈ側につながって、スピーカ兼マイク１０１０が、スピーカとして動作する（１０２３）。送信状態１０２２では、切り替えスイッチが図１７の端子Ｌ側につながって、スピーカ兼マイク１０１０が、マイクとして動作する（１０２４）。図１９は、スピーカ・マイク切り替え手段を構成する制御回路１００８のフローチャートである。制御回路１００８の動作が開始すると（１０３０）、初期設定を実行する（１０３１）。初期設定は、マイク兼スピーカがスピーカとして動作するモードである。次に送信回路が働いている状態か否かを判断する（１０３３）。単に音楽を楽しんでいる状態では、送信がなされていない状態と判断し、電話で通話している状態などでは送信がなされている状態と判断する。送信状態と判断されると送信設定１０３５を実行する。すなわちマイク兼スピーカをＬ端子に接続し、マイク動作をさせる。送信がなされていない状態は受信状態（受信のみの状態） と判断して受信設定（１０３７）を実行する。すなわちマイク兼スピーカをＨ端子に接続し、スピーカ動作をさせる。電源断などにより、動作終了する（１０３９）。
【実施例３】
【００３２】
実施例３は、実施例２の骨導スピーカ装置を携帯電話機のイヤホンマイクとして使う実施例である。すなわち、二個の骨導スピーカ装置と有線又は無線にて接続された携帯電話機であって、前記骨導スピーカ装置の使用者が該携帯電話機を介して音楽などのコンテンツを利用するコンテンツ鑑賞モードの際には、それらにこの骨導スピーカ装置を双方ともスピーカとして用い、電話がかかってきて通話モードに切り替わる際には、前記二個の骨導スピーカ装置のうち一方がマイクとして機能するスピーカ・マイク切り替え手段を有する携帯電話機を提案する。これによると、携帯電話機を介してウェブ上の音楽コンテンツや音声情報コンテンツなどを再生するときには、両耳からの情報を得て、電話がかかってきて通話モードとなったときには、一方の骨導スピーカをマイクとして用いて、話すことと聴くこととを同時にすることが可能である。そもそも電話による通話は、先方が話す信号とこちらが話す信号とが混じって通信されるものであるから、音声が頭蓋骨において交じり合うことも問題がないと考えられる。上記スピーカ・マイク切り替え手段の切り替えは、携帯電話機の着信信号に基づいて自動的に行うことが可能である。また、二つの骨導スピーカが装着者の顔をはさんで両側に設けられることから、この装着者の顔が向いている方向を割り出すこともできる。したがって、ＧＰＳ装置との交信をすることによりナビゲーション機能を付加することも可能となる。また、マイクを通して取得する音声から声紋を割り出してセキュリティ機能を高めたバンキングシステムを携帯のウェブサービスとして提供すること、路線や地図情報とのリンクサービスなども考えられる。また、二つの骨導スピーカが異常に離れたときにＳＯＳ信号を発信するなど、防犯機能をもたせることもできる。このＳＯＳ信号は、接続されている携帯電話機により電話発信すること、メール発信することが可能である。また、単に近くの人に助けを求めるためのアラーム音を発することもできる。このアラーム音は、骨導スピーカの落下を装着者に知らせる程度の音とすることも可能である
【実施例４】
【００３３】
実施例３では、音楽コンテンツなどを再生するのに、携帯電話の機能を用いて行う場合についてであったが、ＣＤプレイヤや、ＭＤプレイヤ，ＭＰ３プレイヤなどを用いて音楽コンテンツを楽しむ場合に、その途中で携帯電話機にかかってきた着信を逃さないために、用いるアダプタに応用可能である。その応用例が実施例４である。すなわち、携帯電話機のイヤホン・マイク端子に接続される携帯電話機アダプタであって、他の音源再生機からの入力を受け入れる音源入力端子と、二個の骨導スピーカ装置との通信を無線にて行う無線通信手段と、該二個の骨導スピーカ装置を左右のステレオスピーカとして使って前記音源入力端子からの音源を楽しむ音源再生モードと、前記携帯電話機に着信があるときに前記二個のスピーカのうちの一つをスピーカ、他方をマイクとして使う通話モードとを切り替えるスピーカ・マイク切り替え手段とを有するものを提供する。図１０にこの実施例の概念図を示す。図１０は、携帯電話機のイヤホンマイク端子に接続するアダプタの構成図を示す概念図である。図１０において、ＣＤプレイヤ４２は、ＭＤプレイヤ、ＭＰ３プレイヤなど、人が個人的に音楽を携帯して楽しむ目的に用いるものに取り替えることができるものである。その音楽再生機のヘッドフォン端子に本発明を応用してなるアダプタ６５６を接続する。アダプタ６５６は、携帯電話機６４４とも接続される。また、アダプタ６５６は、骨導スピーカ装置６６５、６７５とそれぞれ無線により、やり取り可能に設計される。その機能は、図７のラダー図に示したのと同様である。
【実施例５】
【００３４】
音を聴くモードと、話すモードとの切り替えをするのが便利なのは、携帯電話機に限らない。パソコンの場合も、同様のニーズが考えられる。パソコンに応用した例を実施例５とする。音楽や、ＤＶＤなどの鑑賞時には、二個のスピーカをステレオ再生にて聴くのが望ましいのに対し、使用者の声を入力する必要がある場合もあるからである。例えば、声紋認識によりセキュリティの強化をする場合や、ワードプロセッサの入力を音声認識で行おうとする場合には、マイクが必要となる。そこで、二個の骨導スピーカ装置と有線又は無線にて接続されたパソコンであって、前記骨導スピーカ装置に装着者が該パソコンを介して音楽などのコンテンツを利用するコンテンツ鑑賞モードの際には、それら二個の骨導スピーカ装置を双方ともスピーカとして用い、操作者の音声を入力する必要がある音声入力モードの際には、前記二個の骨導スピーカ装置のうち一方がマイクとして機能するスピーカ・マイク切り替え手段を有するものを提案する。パソコンを用いる場合には、さらにカメラを取り付けることにより、声紋に限らす、目鼻の位置による本人確認、指紋による本人確認など、セキュリティ機能を高めることができる。
【実施例６】
【００３５】
実施例６は、電子辞書に応用した例である。つづりが不明な場合、発音による検索が便利な場合がある。発音の入力は、発音記号によるよりは、音声入力によるものの方が便利である。そのためにマイクが必要となる。一方、電子辞書の場合も、音声入力を必要としない場合には、二つのスピーカから出力を得る方が望ましいと考えられる。そこで、二個の骨導スピーカ装置と有線又は無線にて接続された電子辞書であって、前記骨導スピーカ装置の装着者が該電子辞書を介して発音などのコンテンツを利用するコンテンツ鑑賞モードの際には、それら二個の骨導スピーカ装置を双方ともスピーカとして用い、操作者の音声を入力する必要のある音声入力モードの際には、前記二個の骨導スピーカ装置のうち一方がマイクとして機能するスピーカ・マイク切り替え手段を有するものを提案する。
【実施例７】
【００３６】
実施例７は、電子翻訳システムに応用した例である。異なる言語を母国語とする人同士が会話をする必要がある場合には、話すときには一個のマイクでよいが、聴くときには両方の耳から聴きたいというニーズがある。二個の骨導スピーカ装置と有線又は無線にて接続された電子翻訳システムであって、前記骨導スピーカ装置の装着者が該電子翻訳システムを介して音声などのコンテンツを利用するコンテンツ再生モードの際には、それら二個の骨導スピーカ装置を双方ともスピーカとして用い、操作者の音声を入力する必要のある音声入力モードの際には、前記二個の骨導スピーカ装置のうち一方がマイクとして機能するスピーカ・マイク切り替え手段を有するものを提案する。この電子翻訳システムには、さらに表示装置をつけて翻訳の結果をテキスト表示して視覚的にも理解を助けることとしてもよい。
【実施例８】
【００３７】
実施例８は、二個の骨導スピーカ装置と有線又は無線にて接続された聴覚支援システムに応用する例である。前記骨導スピーカ装置の装着者が該聴覚支援システムを介して音楽などのコンテンツを利用するコンテンツ鑑賞モードの際には、それら二個の骨導スピーカ装置を双方ともスピーカとして用い、操作者の音声を入力する必要のある音声入力モードの際には、前記二個の骨導スピーカ装置のうち一方がマイクとして機能するスピーカ・マイク切り替え手段を有する聴覚支援システムを提案する。聴覚障害者の理解を助けるには、視覚的な手段を用いるのが好ましい。難聴者に対して音声を大きくして聞かせるだけでなく、表示手段に内容をテキスト表示させることにより、手話を知らない人との間でもコミュニケーションが可能となる。テキスト変換のためには、音声認識プログラムを活用することが望ましい。上述した圧電振動子を用いた骨導スピーカをマイクとして用いる場合に、音声認識の認識率も好成績を収めることができた。
【実施例９】
【００３８】
以下、図１１及び図１２を参照しつつ、実施例９について説明する。図１１は、耳飾り（耳介を貫くピアスホールを人体にあけないで、耳介をはさんで止めるクリップ式の耳飾り）を兼用する骨導スピーカ・マイクをピエゾ型骨伝導スピーカを用いて構成する場合の概観を示す斜視図である。図１２は、耳飾りを兼用する骨導スピーカ・マイクを横から見た図である。耳飾りは、図１１，１２，１３においては、耳たぶを挟み込むイヤクリップのタイプのものを表している。（後述する、図１４，１５，１６においては、耳たぶに穴を開けて固定するピアスのタイプのものを表している。）骨導スピーカ・マイクの例として、ここでは、ピエゾ素子型骨伝導スピーカ・マイクを提案する。ピエゾ型は、マグネチック型に比べて軽くて小型化できる特徴がある。また、高音再生特性が高い。低消費電力である。したがって、携帯機器に向いている。耳の気道がふさがれずにハンズフリーが実現できる、騒音のある場所でも声を拾うことができるなどの特徴も有している。図１０の装飾部５０は、半透明の部材から構成し、携帯電話の着信時に光らせることが可能である。これにより、周囲の人にも、電話の着信を気づいてもらうことが可能である。内蔵の電池から電源を供給し、着信時にＬＥＤを光らすことができる。あるいは、装飾部５０の内部にパターンアンテナと整流回路を搭載し、送受信の電波で、自己発電してＬＥＤを光らすこととしてもよい。装飾部５０は、メイン基板５１との間で取り外し可能とし、充電池を兼ねる。充電池を交換して使ったり、装飾部をおしゃれなものに取り替えたりすることを可能とする。例えば、装飾部５０をねじ込み又ははめ込みによりメイン基板５１に取り付ける構造とし、使用者が容易に取替え可能にする。ＬＥＤの色の異なるもの、宝石がことなるものなど、複数のデザインの装飾部をその日のＴＰＯにしたがって、取り替えることを可能とするものである。装飾部５０は、はずしたときに充電器に収納することにより充電できるものとすることもできる。図１２において、ピエゾ型骨伝導スピーカ本体５３は、クリップ機能（耳介を挟み込む機能)を有する耳たぶ装着部５２により、メイン基板５１と連結される。ここで、耳たぶ装着部５２は、単に機械構造的にピエゾ型骨伝導スピーカ本体５３と、メイン基板５１とを連結するのみならず、電気的な接点をも有して結線も行うものである。
【実施例１０】
【００３９】
図１３を参照しつつ実施例１０について説明する。図１３は、耳飾り（耳介を貫くピアスホールを人体にあけないで、耳介をはさんで止めるクリップ式の耳飾り）を兼用する骨導スピーカ・マイクであって、装飾部をぶら下げた実施例を横から見た図である。装飾部１５０の中に充電池（又は使い捨て電池）が収納されて、装飾面で遜色のないコードでメイン基板１５１に接続される。そして、必要なケーブルを収納した耳たぶ装着部１５２を介してピエゾ型骨伝導スピーカ本体１５３につながる。ここで、耳たぶ装着部１５２は、十分なばねの機能を有するものであって、耳介を挟み込みなおかつ、ピエゾ型骨伝導スピーカ本体１５３、メイン基板１５１及び装飾部１５０の重量を支えるものである。図１３において、メイン基板１５１を耳の表側に設けるものとして描いたが、ピエゾ型骨伝導スピーカ本体１５３と一体的に構成する他の実施例も考えられる。
【実施例１１】
【００４０】
図１４を参照しつつ、実施例１１について説明する。図１４は、ピアスにて骨導スピーカ・マイクを構成した例であって、電池と基板とスピーカ本体とを耳介の裏側に設けた実施例を横から見た図である。耳たぶまたは耳介軟骨２００にピアスホールがあけられてピアスとして装着される。この実施例では、耳たぶ装着部２５２は、金属などのピアスである。メイン基板２５１の内部に電池が設けられる。いいかえれば、装飾部２５０とメイン基板２５１とは一体的な構造となる。この構造では、耳の表側になる耳たぶ装着部２５２の止め具は、単に機械構造的に止める機能を有するものであれば足り、電気的な接点を有する必要がない。
【実施例１２】
【００４１】
図１５を参照しつつ、実施例１２について説明する。図１５は、ピアスにて骨導スピーカ・マイクを構成した例であって、電池（装飾部３５０）を表側に設けて、メイン基板３５１とスピーカ本体３５３とを耳介の裏側に設けた実施例を横から見た図である。ここでは、耳介の一部である耳たぶ又は耳介軟骨部３００にはピアスホールが設けられ、メイン基板３５１とスピーカ本体３５３との重量を合計したものと、電池を含む装飾部３５０の重量とがバランスを取って設計される。耳たぶ装着部３５２は、同心状の二つの電気的な接点を有するねじをもつものとして装飾部３５０との間で取り外し可能に構成され得る。
【実施例１３】
【００４２】
図１６を参照しつつ、実施例１３について説明する。図１６は、ピアスにて骨導スピーカ・マイクを構成した例であって、電池(装飾部４５０)を耳たぶ装着部４５２で止めることによりぶら下げて、メイン基板４５１とスピーカ本体４５３とを耳介の裏側に設けた実施例を横から見た図である。ここでは、耳介の一部である耳たぶ又は耳介軟骨部４００にはピアスホールが設けられ、メイン基板４５１とスピーカ本体４５３との重量を合計したものと、電池を含む装飾部４５０の重量とがバランスを取って設計される。耳たぶ装着部４５２は、同心状の二つの電気的な接点を有するねじとして、構成され得る。【００４３】
なお、図１４、図１５、図１６においては、耳たぶ又は耳介軟骨部２００，３００，４００について、斜線を付して断面を描いてある。
【産業上の利用可能性】
【００４４】
ヘッドホンを用いる機器のさまざまなものに応用可能である。
【図１】
2006080517.tif 000002
【図２】
2006080517.tif 000003
【図３】
2006080517.tif 000004
【図４】
2006080517.tif 000005
【図５】
2006080517.tif 000006
【図６】
2006080517.tif 000007
【図７】
2006080517.tif 000008
【図８】
2006080517.tif 000009
【図９】
2006080517.tif 000010
【図１０】
2006080517.tif 000011
【図１１】
2006080517.tif 000012
【図１２】
2006080517.tif 000013
【図１３】
2006080517.tif 000014
【図１４】
2006080517.tif 000015
【図１５】
2006080517.tif 000016
【図１６】
2006080517.tif 000017
【図１７】
2006080517.tif 000018
【図１８】
2006080517.tif 000019
【図１９】
2006080517.tif 000020
【国際調査報告】
2006080517.tif 000021
2006080517.tif 000022
2006080517.tif 000023
2006080517.tif 000024
2006080517.tif 000025
2006080517.tif 000026
2006080517.tif 000027
2006080517.tif 000028
2006080517.tif 000029